(57)【要約】ビデオ装置が、第１ＲＧＢ信号（Ｒ４２、Ｇ４２、Ｂ４２）を出力する第１コネクタ（２８）と、第２ＲＧＢ信号（Ｒ２、Ｇ２、Ｂ２）を受信する第２コネクタ（３８）と、第３ＲＧＢ信号（ＲＯＳＤ、ＧＯＳＤ、ＢＯＳＤ）を発生するオンスクリーンディスプレイ回路（２６）とを有する。ＲＧＢ発生器（４６）が第４ＲＧＢ信号（Ｒ４６、Ｇ４６、Ｂ４６）を発生する。第１ＲＧＢスイッチ（４０）は第２コネクタ（３８）およびオンスクリーンディスプレイ回路（２６）と接続されており、それぞれ第２ＲＧＢ信号（Ｒ２、Ｇ２、Ｂ２）と第３ＲＧＢ信号（ＲＯＳＤ、ＧＯＳＤ、ＢＯＳＤ）とを受信する。第３ＲＧＢスイッチ（４０）は第５ＲＧＢ信号（Ｒ４０、Ｇ４０、Ｂ４０）を出力する。第２ＲＧＢスイッチ（４２）が第１ＲＧＢスイッチ（４０）およびＲＧＢ発生器（４６）と接続されており、それぞれ第５ＲＧＢ信号（Ｒ４０、Ｇ４０、Ｂ４０）と第４ＲＧＢ信号（Ｒ４６、Ｇ４６、Ｂ４６）とを受信する。第２ＲＧＢスイッチ（４２）は第１ＲＧＢ信号（Ｒ４２、Ｇ４２、Ｂ４２）を出力する。このようなビデオ装置の制御方法も提案される。
2004508774.tif 000002
【特許請求の範囲】
【請求項１】
第１ＲＧＢ信号（Ｒ４２、Ｇ４２、Ｂ４２）を出力するための第１コネクタ（２８）と、第２ＲＧＢ信号（Ｒ２、Ｇ２、Ｂ２）を受信するための第２コネクタ（３８）と、第３ＲＧＢ信号（ＲＯＳＤ、ＧＯＳＤ、ＢＯＳＤ）を発生するためのオンスクリーンディスプレイ回路（２６）とを有するビデオ装置において、
ＲＧＢ発生器（４６；５４）は第４ＲＧＢ信号（Ｒ４６、Ｇ４６、Ｂ４６；Ｒ５４、Ｇ５４、Ｂ５４）を発生し、
第１ＲＧＢスイッチ（４０）が第２コネクタ（３８）とオンスクリーンディスプレイ回路（２６）とに、それぞれ前記第２ＲＧＢ信号（Ｒ２、Ｇ２、Ｂ２）と前記第３ＲＧＢ信号（ＲＯＳＤ、ＧＯＳＤ、ＢＯＳＤ）とを受信するために接続されており、
第１ＲＧＢスイッチ（４０）は第５ＲＧＢ信号（Ｒ４０、Ｇ４０、Ｂ４０）を出力し、
第２ＲＧＢスイッチ（４２）が第１ＲＧＢスイッチ（４０）とＲＧＢ発生器（４６；５４）とに、それぞれ前記第５ＲＧＢ信号（Ｒ４０、Ｇ４０、Ｂ４０）と前記第４ＲＧＢ信号（Ｒ４６、Ｇ４６、Ｂ４６；Ｒ５４、Ｇ５４、Ｂ５４）とを受信するために接続されており、
前記第２ＲＧＢスイッチ（４２）は第１ＲＧＢ信号（Ｒ４２、Ｇ４２、Ｂ４２）を出力する、
ことを特徴とするビデオ装置。
【請求項２】
第１ＲＧＢスイッチは、オンスクリーンディスプレイ回路により発生される第１高速ブランキング信号により制御される、請求項１記載のビデオ装置。
【請求項３】
第１ＯＲゲートが第２高速ブランキング信号を、前記第１高速ブランキング信号と、第２のコネクタの高速ブランキング信号とに基づいて発生する、請求項２記載のビデオ装置。
【請求項４】
前記第２高速ブランキング信号は第２ＲＧＢスイッチを制御する、請求項３記載のビデオ装置。
【請求項５】
第２ＯＲゲートが第３高速ブランキング信号を、前記第２高速ブランキング信号と、ＲＧＢ発生器の高速ブランキング信号とに基づいて発生する、請求項３または４記載のビデオ装置。
【請求項６】
前記第３高速ブランキング信号は第１コネクタのピンでの出力である、請求項５記載のビデオ装置。
【請求項７】
前記第３高速ブランキング信号は、増幅器を介した第１コネクタのピンでの出力である、請求項５記載のビデオ装置。
【請求項８】
ソーススイッチにより第２コネクタのピン上の複合ビデオ信号がデジタル発生器に接続され、デジタルスイッチによりデジタル発生器が前記第４ＲＧＢ信号を発生するデジタルデコーダに接続され、ミューティング回路が第２コネクタと第１ＲＧＢスイッチとの間に挿入されている、請求項１から７までのいずれか１項記載のビデオ装置。
【請求項９】
請求項８記載のビデオ装置の制御方法において、
ソーススイッチを制御して、第２コネクタのピン上の複合ビデオ信号をデジタル発生器に接続し、
デジタルスイッチを制御して、デジタル発生器をデジタルデコーダに接続し、
ミューティング回路を制御して、前記第２ＲＧＢ信号をミュートする、制御方法。
【請求項１０】
オンスクリーンディスプレイ回路を制御して、前記第２ＲＧＢ信号がミュートされていることを指示するＲＧＢ信号を出力するサブシーケンスを有する請求項９記載の制御方法。
【発明の詳細な説明】
【０００１】
本発明は、複数のビデオ信号源を使用するビデオ装置、およびこのようなビデオ装置の制御方法に関する。
【０００２】
ビデオ装置は一般的にビデオ信号を他のビデオ装置、例えばディスプレイに出力するためのコネクタを有する。このようなコネクタは、３つのモノクロ信号、すなわち赤信号Ｒ、緑信号Ｇおよび青信号Ｂにより表されるビデオ信号を搬送することができる。例えば従来のＳｃａｒｔコネクタではピン１５，１１および７がこのために使用される。
【０００３】
これまではこのコネクタに出力されるＲＧＢ信号がマイクロプロセッサのコントロールによりオンスクリーンディスプレイ回路によって発生される。このコネクタへビデオ装置の他のコネクタ、例えば入力Ｓｃａｒｔコネクタ（一般的にＳｃａｒｔ２と呼ばれる）で受信されたＲＧＢ信号を伝送することも提案されている。Ｓｃａｒｔ２で受信された信号は例えばセットトップボックスからの信号である。
【０００４】
本発明の課題は、ＲＧＢ形式にあるビデオ信号の他のソースの利点を維持し、かつ従来のコネクタによってこれを伝送できるようにすることである。
【０００５】
本発明では、第１ＲＧＢ信号を出力するための第１コネクタと、第２ＲＧＢ信号を受信するための第２コネクタと、第３ＲＧＢ信号を発生するオンスクリーンディスプレイ回路とを有するビデオ装置であって、ＲＧＢ発生器が第４ＲＧＢ信号を発生し、第１ＲＧＢスイッチが第２コネクタとオンスクリーンディスプレイ回路に接続されており、それぞれ第２ＲＧＢ信号と第３ＲＧＢ信号を受信し、第１ＲＧＢスイッチは第５ＲＧＢ信号を出力し、第２ＲＧＢスイッチが第１ＲＧＢスイッチとＲＧＢ発生器に接続されており、それぞれ第５ＲＧＢ信号と第４ＲＧＢ信号を受信し、第２ＲＧＢスイッチは第１ＲＧＢ信号を出力するビデオ装置が提案される。
【０００６】
本発明の有利な実施形態は次のとおりである。
【０００７】
・第１ＲＧＢスイッチはオンスクリーンディスプレイ回路により発生される第１高速ブランキング信号により制御される；
・第１ＯＲゲートが第２高速ブランキング信号を、前記第１高速ブランキング信号と、第２コネクタの高速ブランキング信号とに基づいて発生する；
・前記第２高速ブランキング信号は第２ＲＧＢスイッチを制御する；
・第２ＯＲゲートが第３高速ブランキング信号を、前記第２高速ブランキング信号と、ＲＧＢ発生器の高速ブランキング信号とに基づいて発生する；
・前記第３高速ブランキング信号は第１コネクタのピンに出力される；
・前記第３高速ブランキング信号は第１コネクタのピンに増幅器を介して出力される；
・ソーススイッチにより第２コネクタの複合ビデオ信号をデジタル発生器に接続することができ、デジタルスイッチによりデジタル発生器を、前記第４ＲＧＢ信号を発生するデジタルデコーダに接続することができ、ミューティング回路が前記第２コネクタと第１ＲＧＢスイッチとの間に装入されている。
【０００８】
本発明はまたこのようなビデオ装置を次のステップにより制御する：
・第２コネクタの複合ビデオ信号ピンをデジタル発生器に接続するソーススイッチを制御する；
・デジタル発生器をデジタルデコーダに接続するデジタルスイッチを制御する；
・前記第２ＲＧＢ信号をミュートするミューティング回路を制御する。
【０００９】
本発明の有利な構成によれば、オンスクリーンディスプレイ回路を制御して、前記第２ＲＧＢ信号がミュートされたことを支持するＲＧＢ信号を出力する。
【００１０】
本発明および実施例は、以下の添付図面を参照した詳細な説明から明かとなる。
【００１１】
図１は、本発明のビデオ装置の第１実施例を示す。
【００１２】
図２は、本発明のビデオ装置の第２実施例を示す。
【００１３】
図３は、図２のビデオ発生器の有利な実施形態を示す。
【００１４】
以下の説明で参照番号１から２０は規格に従ったＳｃａｒｔコネクタの相応するピンのために使用される。アース線は分かり易くするために図示されていないことを述べておく。
【００１５】
ビデオレコーダのビデオ処理回路の主要素子が図１に示されている。ビデオレコーダは、ＣＶＢＳ発生器２２，Ｓビデオ発生器２４およびＲＧＢ発生器４６を有する。
【００１６】
このようなＶＣＲは、ＶＨＳ規格に従って記録されたビデオテープを読出すことができ、ＣＶＢＳ信号をＣＶＢＳ発生器２２の出力側に従来のように発生する。ＣＶＢＳ発生器２２はパーツの集合を表し、これらはＣＶＢＳ信号をテープに記録された信号から発生するのに使用される。
【００１７】
同じようにＶＣＲはＳ−ＶＨＳ規格に従い記録されたビデオテープを、Ｓビデオ発生器２４によって読出すことができ、Ｓビデオ発生器は輝度信号Ｙと色信号Ｃを分離して出力する。
【００１８】
最後にＶＣＲはＤ−ＶＨＳ規格に従って記録されたビデオテープを読出すことができ、とりわけ相応するＲＧＢ信号を出力側Ｒ４６、Ｇ４６、Ｂ４６に高速ブランキング信号ＦＢ４６にしたがって出力する。図示の実施例で、ＲＧＢ発生器４６はＭＰＥＧデコーダＳＴＩ５５００であり、デジタル形式のテープで読出されたデータに従い、Ｐｈｉｌｉｐｓ社製ビットストリームプロセッサＳＡＡ６７００ＨによりＳＴが供給される。もちろん他の媒体を使用することもできる。例えばＲ４６、Ｇ４６、Ｂ４６により表されるビデオ信号はビデオディスクまたはハードディスクから取り出すことができる。
【００１９】
ＶＣＲはまたオンスクリーンディスプレイ（ＯＳＤ）回路２６を、メニューをディスプレイ（例えばＴＶセット）に表示するために有する。このディスプレイにＶＣＲはＳｃａｒｔコネクタ２８を介してリンクすることができる。
【００２０】
ＯＳＤ回路２６は３つの別個のモノクロ信号（それぞれ赤信号ＲＯＳＤ、緑信号ＧＯＳＤ、そして青信号ＢＯＳＤ）をＲＧＢ形式と高速ブランキング信号ＦＢＯＳＤに従って発生する。この高速ブランキング信号ＦＢＯＳＤはディスプレイに、いつこれらのＲＧＢ信号を考慮すべきかを指示する（ＦＢＯＳＤのハイレベル）。
【００２１】
ＯＳＤ回路２６はマイクロプロセッサ３０からデータバスＩを介して指令を受け取る。このデータバスは図１では簡単にするため一本の線により示されている。
【００２２】
ＶＣＲはさらに、Ｓｃａｒｔ２と呼ばれるＳｃａｒｔコネクタ３８を有する。このコネクタのピンは１’から２０’により示されている。Ｓｃａｒｔ２コネクタ３８により、外部ビデオデバイスをＶＳＲに接続することができ、例えば衛星またはケーブルリンクからビデオ情報を受信することのできるデジタルセットトップボックスを接続することができる。ビデオシーケンスはＶＣＲに、Ｓｃａｒｔ２コネクタ３８のピン７’、１１’および１５’でＲＧＢ形式で入力され、画像として複合信号ピン１９’に搬送されたシーケンス、またはＶＣＲによりＯＳＤ技術に従って発生されたシーケンスにインポーズされる。
【００２３】
Ｓｃａｒｔ２コネクタ３８のピンで受信されたＲＦＢ信号（通常は３つの別個のモノクロ信号Ｒ２、Ｇ２、およびＢ２からなる）は、第１ＲＧＢスイッチ４０の３つのそれぞれの入力側に供給される。第１ＲＧＢスイッチ４０の別の３つの入力側はそれぞれ３つのモノクロ信号ＲＯＳＤ、ＧＯＳＤ、およびＢＯＳＤをＯＳＤ回路２６から受信する。
【００２４】
Ｓｃａｒｔ２コネクタ３８はまた高速ブランキング信号ＦＢ２をそのピン１６’に、ピン７’、１１’、１５’からのＲＧＢ信号に従って出力する。
【００２５】
第１ＲＧＢスイッチ４０はまた高速ブランキング信号ＦＤＯＳＤをＯＳＤ回路２６から受信する。ＦＢＯＳＤがハイレベルのとき、第１ＲＧＢスイッチ４０はその３つのＲＧＢ出力側Ｒ４０、Ｇ４０、Ｂ４０にそれぞれＲＯＳＤ信号、ＧＯＳＤ信号、ＢＯＳＤ信号を送出する。反対にＦＢＯＳＤがローレベルのとき。第１ＲＧＢスイッチ４０はその３つのＲＧＢ出力側Ｒ４０、Ｇ４０、Ｂ４０にそれぞれＲ２信号、Ｇ２信号、Ｂ２信号を送出する。従って第１ＲＧＢスイッチ４０からのＲＧＢ信号出力は、ＯＳＤ回路２６により発生された画像の一部がインポーズされたＳｃａｒｔ２コネクタ３８からの画像である。
【００２６】
ミューティング回路４５がＳｃａｒｔ２コネクタ３８と第１ＲＧＢスイッチ４０との間に挿入されていることが分かる。ミューティング回路４５はマイクロプロセッサ３０により制御され、Ｓｃａｒｔ２コネクタ３８からのＲＧＢ信号を、これらがＳｃａｒｔコネクタ２８のピン１９での信号出力と同期しないときにミュートする。第１ＯＲゲート４４は、Ｓｃａｒｔ２コネクタ３８からの高速ブランキング信号と、ＯＳＤ回路２６からの高速ブランキング信号ＦＢＯＳＤを結合する。従ってＯＲゲート４４の出力ＦＢ４４は、Ｓｃａｒｔ２コネクタ３８からの高速ブランキング信号ＦＢ２がハイレベルであるか、またはＯＳＤ回路２６からの高速ブランキング信号ＦＢＯＳＤがハイレベルであるときの両方でハイレベルとなる。反対にＦＢ２とＦＢＯＳＤの両方がローレベルであるとき、ＦＢ４４はローレベルである。前記とは異なりＦＢ４４は、ＯＳＤ回路２６からの（ＲＯＳＤ、ＧＯＳＤ、ＢＯＳＤにより表される）画像がインポーズされたＳｃａｒｔ２コネクタ３８からの（Ｒ２、Ｇ２、Ｂ２により表される）画像に対する高速ブランキング信号を表す。
【００２７】
第２ＲＧＢスイッチ４２は一方で信号Ｒ４０、Ｇ４０、Ｂ４０を第１ＲＧＢスイッチ４０から受信し、他方で信号Ｒ４６、Ｇ４６、Ｂ４６をＲＧＢ発生器４６から受信する。第２ＲＧＢスイッチ４２は第１ＯＲゲートの出力、すなわち高速ブランキング信号ＦＢ４４により制御される。第２ＲＧＢスイッチ４２はＲＧＢ信号を、ピンＲ４２、Ｇ４２、Ｂ４２に出力する。この信号は高速ブランキング信号ＦＢ４４に依存して選択的に、第１ＲＧＢスイッチ４０からの信号またはＲＧＢ発生器４６からの信号である。
【００２８】
より正確に言えば、第２ＲＧＢスイッチ４２は、高速ブランキング信号ＦＢ４４がハイレベルであるとき、第１ＲＧＢスイッチ４０から受信したＲＧＢ信号を出力し、高速ブランキング信号ＦＢ４４がローレベルであるとき、ＲＧＢ発生器４６から受信したＲＧＢ信号を出力する。従って第２ＲＧＢスイッチ４２の出力側でＲ４２、Ｇ４２、Ｂ４２により表されるビデオ信号は、ＲＧＢ発生器４６からの画像に第１ＲＧＢスイッチ４０に対する画像がインポーズされたものである。すなわちＳｃａｒｔ２コネクタ３８からの画像に（ＯＳＤ回路２６からの）ＯＳＤがインポーズされたものである。
【００２９】
第２ＯＲゲート４８は高速ブランキング信号ＦＢ４４を第１ＯＲゲート４４から受信し、高速ブランキング信号ＦＢ４６をＲＧＢ発生器４６から受信する。第１ＯＲゲート４４と同じように、第２ＯＲゲート４８は２つの信号間の論理的ＯＲ演算を実現し、その出力側に高速ブランキング信号ＦＢ４８を、第２ＲＧＢスイッチ４２の出力側に発生されたビデオ信号に相応して発生する。高速ブランキング信号ＦＢ４８は次に１０ｄＢ増幅器４９を通過してＳｃａｒｔコネクタ２８のピン１６に出力され、Ｓｃａｒｔコネクタ２８に接続された装置、例えばディスプレイでの高速ブランキング信号として使用される。
【００３０】
増幅器４９によってピン１６への出力は十分な電圧に増幅され、Ｓｃａｒｔコネクタ２８に接続された機器（例えばディスプレイ）により使用することができる。例えばＯＲゲート４４および４８で電圧低下が発生したり、種々の初期ブランキング信号ＦＢ２、ＦＢＯＳＤおよびＦＢ４６間で不均等が発生したも大丈夫である。
【００３１】
輝度スイッチ３４は複合ビデオ信号ＣＶＢＳをＣＶＢＳ発生器２２から受信し、輝度信号ＹをＳビデオ発生器２４から受信する。輝度スイッチ３４はマイクロプロセッサ３０からのコントロール信号Ｍにより制御され、Ｓｃａｒｔコネクタ２８のピン１９に複合ビデオ信号ＣＶＢＳまたは輝度信号Ｙを選択的に出力する。
【００３２】
色スイッチ３６は色信号ＣをＳビデオ発生器２４から受信し、赤信号Ｒ４２を第２ＲＧＢスイッチ４２から受信する。色スイッチ３６は命令Ｎにより制御され、Ｓｃａｒｔコネクタ２８のピン１５に赤信号Ｒ４２または色信号Ｃを選択的に出力する。命令ＮはＡＮＤゲート５０の出力側に発生され、これの第１入力側はコントロール信号Ｍを、第２入力側はピン１６の反転された高速ブランキング信号を受信する（すなわち高速ブランキング信号ＦＢはインバータ５２を通過する）。
【００３３】
第１アーススイッチ３５により、Ｓｃａｒｔコネクタ２８のピン１１は選択的に第２ＲＧＢスイッチ４２からの緑信号Ｇ４２またはアースに接続される。同様に第２アーススイッチ３７によりＳｃａｒｔコネクタ２８のピン７は選択的に第２ＲＧＢスイッチ４２からの青信号Ｂ４２またはアースに接続される。第１アーススイッチ３５も第２アーススイッチ３７も色スイッチ３６を制御する信号Ｎにより制御される。
【００３４】
ＶＣＲは２つの可能なモードにしたがって動作することができる。すなわち第１のモードでは、Ｓｃａｒｔコネクタ２８がＣＶＢＳ信号を搬送し、第２のモードではＳｃａｒｔコネクタ２８はＳビデオ信号を搬送することができる（Ｓｃａｒｔモードを介するＳビデオ）。この動作モードは、マイクロプロセッサ３０とＯＳＤ回路２６により発生されるメニューによって選択することができ、マイクロプロセッサ３０によりメモリアセンブリに記憶される。この２つの動作モードを以下、詳細に説明する。
【００３５】
第１のモードでは、マイクロプロセッサ３０がコントロール信号Ｍをローレベル（０）にセットする。これにより輝度スイッチ３４はＣＶＢＳ発生器２２の出力をＳｃａｒｔコネクタ２８のピン１９に接続する。
【００３６】
コントロール信号Ｍがローレベルであるので、ＡＮＤゲート５０の出力（信号Ｎ）もローレベルである。これにより色スイッチ３６は第２ＲＧＢスイッチ４２の赤信号出力Ｒ４２をＳｃａｒｔコネクタ２８のピン１５と接続する。これによりアーススイッチ３５，３７はそれぞれ第２ＲＧＢスイッチ４２の緑信号出力Ｇ４２と青信号出力Ｂ４２をＳｃａｒｔコネクタ２８のピン１１と７に接続する。
【００３７】
第２のモードでは、Ｓｃａｒｔコネクタ２８をＳビデオのために使用することができる。従ってこのモードは“Ｓｃａｒｔを介するＳビデオ”と称され、ユーザによりメニューを介して選択することができる。
【００３８】
Ｓビデオ信号がＳビデオ発生器２４の出力側で使用できなければ、すなわちＶＣＲにより読出されたテープがＶＨＳテープであれば、コントロール信号Ｍはローレベル（０）のままであり、スイッチにより実現された接続は第１のモードで説明したものと同じである。
【００３９】
ユーザが“Ｓｃａｒｔを介するＳビデオ”モードを選択した場合、およびＳビデオ発生器２４がアクティブである場合、マイクロプロセッサ３０はコントロール信号Ｍを１（ハイレベル）にセットする。
【００４０】
これらの条件の下で、ＲＧＢスイッチ４２からＳビデオ信号にインポーズすべき信号がなければ、第２ＯＲゲートからの高速ブランキング信号ＦＢ４２はローレベルである。インバータ５２からの信号はハイとなり、従ってＡＮＤゲート５０の出力もハイとなる。従って色スイッチ３６はピン１５をＳビデオ発生器の色出力側Ｃに接続し、アーススイッチ３５，３７はピン７と１１をアースに接続する（クロストークを避けるため）。もちろんコントロール信号Ｍがハイであるので、色スイッチ３４はピン１９をＳビデオ発生器２４の輝度出力側Ｙに接続する。
【００４１】
同じ条件の下で（コントロール信号Ｍがハイ）、第２ＲＧＢスイッチ４２は、Ｓビデオ発生器２４からのビデオ信号にインポーズすべき（または挿入すべき）ＲＧＢ信号を出力することができる。挿入の間、高速ブランキング信号ＦＢ４２はハイである。その結果、インバータ５２の出力はローであり、この信号はＡＮＤゲート５０の出力をローレベルにセットする。色スイッチ３６とアーススイッチ３５，３７はＲ、Ｇ、Ｂ出力側をそれぞれピン１５，１１および７に接続する。この実施例では、輝度スイッチ３４のコントロールが挿入の間は変化しないことに注意すべきである。その結果、Ｓｃａｒｔコネクタ２８のピン１９はＳビデオ発生器２４の輝度出力側Ｙに接続されたままである。
【００４２】
可能な変形実施例によれば、色スイッチ３６はコントロール信号Ｍにより制御され、アーススイッチ３５，３７での接続だけが、“Ｓｃａｒｔを介するＳビデオ“モードの間に高速ブランキング信号ＦＢがハイの場合に変化され、色スイッチ３４は色出力側Ｃとピン１５との接続を維持する。
【００４３】
本発明の第２実施例が図２に示されている。第１実施例と同じ素子については説明を繰り返さない。
【００４４】
輝度スイッチ３４、色スイッチ３６およびアーススイッチ３５，３７はマイクロプロセッサ３０からの命令Ｍにより制御される（図１とは反対に、高速ブランキング信号は前記スイッチの制御のために使用されない。）。
【００４５】
ビデオ発生器５４は、複合出力ＣＶＢＳと、Ｓビデオ出力（すなわち輝度出力Ｙと色出力Ｃ）と、ＲＧＢ出力（すなわち、モノクロ赤出力Ｒ５４、モノクロ緑出力Ｇ５４、モノクロ青出力Ｂ５４、および高速ブランキング信号ＦＢ５４）とを有する。ビデオ発生器５４は前記出力を、同じビデオシーケンスの３つの表現（複合、Ｓビデオ、そしてＲＧＢ）で搬送する。
【００４６】
ビデオ発生器５４のＲＧＢ出力Ｒ５４、Ｇ５４、Ｂ５４は、第２ＲＧＢスイッチ４２の入力として接続される。第１ＲＧＢスイッチ４０のＲＧＢ出力もまた、第１実施例で説明したように第２ＲＧＢスイッチへの入力である。
【００４７】
ビデオ発生器５４は、ＲＧＢ信号Ｒ５４、Ｇ５４、Ｂ５４と同期した高速ブランキング信号ＦＢ５４を出力し、これはＯＲゲート４８の入力である。ＲＧＢ信号はビデオ発生器５４によりミュートすることができる。この場合高速ブランキング信号ＦＢ５４はローレベルである。
【００４８】
マイクロプロセッサ３０はＯＳＤ回路２６とバスＩにより、またビデオ発生器５４にバスＪによりリンクしている。マイクロプロセッサ３０はまたＳｃａｒｔ２コネクタ３８のピン８’に接続Ｋを介して接続されている。ピン８’は一般的に「スロースイッチ」と呼ばれ、ビデオ信号がＳｃａｒｔ２から、高速ブランキング信号よりも大きい時定数で到来しているか否かの情報を送出する。
【００４９】
前に説明したように、Ｓビデオ信号がビデオ発生器５４の出力側Ｙ、Ｃで使用可能であり、かつ“Ｓｃａｒｔを介するＳビデオ“モードがユーザにより選択されていれば、輝度スイッチ３４は出力側ＹをＳｃａｒｔコネクタ２８のピン１９に接続し、色スイッチ３６は出力側Ｃをピン１５に接続し、第１アーススイッチ３５はピン１１をアースに接続し、第２アーススイッチ３７はピン７をアースに接続する。ビデオ発生器５４からのＲＧＢ信号Ｒ５４、Ｇ５４、Ｂ５４はミュートされる。
【００５０】
ビデオ装置は次に、ＯＳＤインポーズが要求される場合、２つの択一的プロセスに従って動作することができる。使用されるプロセスはユーザにより実行された以前の選択に従って選択され（例えば「ユーザのお好み」メニュー）、マイクロプロセッサ３０のメモリアセンブリに記録される。しかし２つのプロセスのうちの１つだけを所定のビデオ装置で実現することも可能である。
【００５１】
第１のプロセスによれば、Ｓｃａｒｔ２コネクタ３８からのＲＧＢビデオ信号がマイクロプロセッサにより検知される場合（上に説明したように接続Ｋにより）、またはマイクロプロセッサ３０がＯＳＤインポーズのための指令をＯＳＤ回路２６にバスＩ上で送信しなけれならない場合、輝度スイッチ３４はビデオ発生器５４のＣＶＢＳ出力を再びＳｃａｒｔコネクタ２８のピン１９に接続し、輝度スイッチ３６は第２ＲＧＮスイッチ４２の赤出力Ｒを再びピン１５に接続し、第１アーススイッチ３５は第２ＲＧＢスイッチ４２の緑出力Ｇを再びピン１１に接続し、そして第２アーススイッチは第２ＲＧＢスイッチ４２の青出力Ｂを再びピン７に接続する。もちろんこれらのスイッチはマイクロプロセッサ３０によりコントロールラインＭを介して制御される。ビデオ発生器５４からのＲＧＢ信号Ｒ５４、Ｇ５４、Ｂ５４はミュートされたままである。
【００５２】
第１のプロセスによれば、ＣＶＢＳ信号がＯＳＤインポーズ中にＳビデオ信号の代わりに使用される（Ｓｃａｒｔ２から、またはＯＳＤ回路から）。このことにより画像品質は失われるが、非常に安定したＯＳＤインポーズが可能である。なぜなら、Ｓｃａｒｔスイッチが完全に従来のように使用されるからである。
【００５３】
このプロセスは、ビデオ発生器５４がいくつかのＳ−ＶＨＳＶＣＲのようにＲＧＢ信号を発生しないビデオ装置でも使用できることを述べておく。
【００５４】
第２のプロセスによれば、Ｓｃａｒｔ２コネクタ３８からのＲＧＢビデオ信号がマイクロプロセッサにより検知される場合（上に説明したように接続Ｋにより）、またはマイクロプロセッサ３０がＯＳＤインポーズのための指令をＯＳＤ回路２６へバスＩ上で送信しなければならない場合、マイクロプロセッサ３０は、ラインＭを介して色スイッチ３６，第１アーススイッチ３５および第２アーススイッチ３７をそれぞれ制御して、第２ＲＧＢスイッチ４２の赤出力Ｒ、緑出力Ｇ、青出力ＢをＳｃａｒｔコネクタ２９のピン１５，１１，７に再び接続する。同時にマイクロプロセッサ３０はビデオ発生器５４を制御して、ビデオ信号をＲＧＢ出力側でミュート解除する。すなわち信号を出力側Ｒ５４、Ｇ５４、Ｂ５４およびＦ５４に送出する。
【００５５】
Ｒ５４、Ｇ５４、Ｂ５４により表されるビデオシーケンスは次に第２ＲＧＢスイッチにより実現すべきインポーズ（これは第１ＲＧＢスイッチ４０から到来し、ＯＳＤ回路２６からのビデオシーケンスとインポーズされたＳｃａｒｔ２からのビデオシーケンスを含んでいいる）と混合される。この混合は、第２実施例のＲＧＢ発生器４６に関連して説明したように行われる。上に示したようなスイッチの接続により、第２ＲＧＢスイッチ４２は所望のビデオシーケンス（インポーズを伴う）をＳｃａｒｔコネクタ２８のピン１５，１１，７に、第２ＯＲゲート４８からの高速ブランキング信号ＦＢ４８の出力と同期して送出する。
【００５６】
この第２プロセスのために、輝度スイッチ３４により実現される接続は、輝度信号Ｙも複合信号ＣＶＢＳも使用されないので考慮する必要はない。しかし回路を簡単にするため、コントロールラインＭだけが使用され、輝度スイッチ３４は複合信号出力ＣＶＢＳをＳｃａｒｔコネクタ２８のピン１９に接続する。
【００５７】
まとめると、第２プロセスでは、ビデオ発生器５４がＲＧＢ信号の第３ソースとして、ＯＳＤ回路２６（第１ソース）およびＳｃａｒｔ２コネクタ３８（第２ソース）に加えて使用される。インポーズ優先度に対するルールは（第１ソースが最上位で、次が第２ソース、最下位が第３ソース）第１および第２ＲＧＢスイッチ４０，４２の接続によって決定される。これは第１実施例で説明したのと同じである。
【００５８】
ビデオ発生器５４の有利な実施例が図３に示されている。
【００５９】
この実施例では、ビデオ信号の可能な３つのソースがビデオ発生器５４に対して設けられている。すなわちＳｃａｒｔ２コネクタ３８のピン１９’からの複合ビデオ信号、従来のチューナおよびフロントエンド復調器５６により発生された複合ビデオ信号、そしてＤ−ＶＨＳ形式で記録されたテープを磁気ヘッドで読出すドラムセット６４によりビットストリームとして発生されたＭＰＥＧ２である。
【００６０】
ソーススイッチ５８はマイクロプロセッサ３０により、ユーザからの指令に依存して制御される。このソーススイッチ５８により選択的にピン１９’またはフロントエンド５６がデジタル発生器６０の入力側に接続される。デジタル発生器は例えばＰｈｉｌｉｐｓ社製ＳＡＡ７１１４ビデオデコーダおよびＮＥＣ社製ｕＰＤ６１０５０ＭＰＥＧ２エンコーダにより実現される。デジタル発生器はアナログ信号に基づきデジタルストリームを発生する回路である。なぜなら例えばＭＰＥＧ２エンコーダはビデオデコーダと関連するからである。
【００６１】
Ｐｈｉｌｉｐｓ社製ＳＡＡ６７００Ｈビットストリームプロセッサ６２はデジタル発生器６０により発生されたＭＰＥＧ２ストリームを受信することができ、これをドラムセット６４により磁気テープに記録すべきビットストリームに変換する。ビットストリームプロセッサ６２はまた磁気テープで読出されたビットストリームをＭＰＥＧ２ストリームに変換し、これがデジタルスイッチ６６の第１入力側に出力される。
【００６２】
デジタルスイッチ６６の第２入力側は、上記のデジタル発生器６０により発生されたＭＰＥＧ２ストリームを受信する。デジタルスイッチ６６により選択的に、ビットストリームプロセッサ６２により発生されたＭＰＥＧ２ストリームまたはデジタル発生器６０により発生されたＭＰＥＧ２ストリームがデジタルデコータ６８に出力される。デジタルデコーダは例えばＳＧＳ−Ｔｈｏｍｓｏｎ社製ＳＴＩ５５００ＭＥＧ２デコーダとすることができる。このＩＣは、デジタルスイッチ６６により出力されたＭＰＥＧ２ストリームに基づいて、複合ビデオ信号ＣＶＢＳ、Ｓビデオ信号Ｙ、ＣおよびＲＧＢ信号Ｒ５４、Ｇ５４、Ｂ５４を実現するビデオエンコーダを有している。
【００６３】
磁気テープがドラムセット６４により読出されるとき、マイクロプロセッサ３０はデジタルスイッチ６６を制御して、ビットストリームプロセッサ６２をデジタルデコーダ６８に接続する。従ってテープからのビットストリームはＭＰＥＧ２ストリームにビットストリームプロセッサ６２により変換され、次にビデオ信号としてデジタルデコーダ６８により３つの可能な形式、ＣＶＢＳ、ＳビデオおよびＲＧＢに従って出力される。
【００６４】
「デジタル改善」と呼ばれる別の可能なオプションでは、デジタルスイッチ６６がデジタル発生器６０の出力側をデジタルデコーダ６８の入力側に接続することができる。ソーススイッチ５８により選択された複合信号（すなわちチューナおよび復調器５６からの複合信号、またはＳｃａｒｔ２コネクタ３８からの複合信号）はＭＰＥＧ２ストリームにデジタル発生器６０により変換され、次にＣＶＢＳ、ＳビデオおよびＲＧＢに従ったビデオ信号にデジタルデコーダ６８により変換される。
【００６５】
このことによりＳビデオ信号とＲＧＢ形式信号とを装置に存在する回路により発生することができる。従ってこの目的のために専用回路は必要ない。さらに初期複合信号が元々デジタル発生器６０に含まれるフィルタを通過し、アナログ／デジタル変換を実現するから、画像品質が向上する。
【００６６】
「デジタル改善」がＳｃａｒｔ２コネクタ３８から到来する複合信号に適用される場合、すなわちソーススイッチがピン１９’をデジタル発生器６０と接続し、デジタルスイッチ６６がデジタル発生器６０をデジタルデコーダ６８と接続する場合、ピン１９’上の複合信号と、ピン１５’、１１’、７’および１６’上のＲＧＢ並びに高速ブランキング信号との初期同期が、ＭＰＥＧ２の使用によって一時的に失われる。従いマイクロプロセッサ３０はＳｃａｒｔ２コネクタ３８からのＲＧＢ信号を、ミューティング回路４５によりミュートする。この場合、マイクロプロセッサ３０は指令をＯＳＤ回路２６に送出し、ピン７’、１１’および１５’から到来する信号は使用できず、それらの信号は「デジタル改善」モードを去ると使用できることを含むメッセージを表示させる。例えばメッセージは『Ｓｃａｒｔ２からのＯＳＤはミュートされています。ＯＳＤを再開するには「デジタル改善」を終了してください』とすることができる。
【００６７】
可能な変形実施例では、アーススイッチ３５と３７を省略することができる。第２ＲＧＢスイッチ４２の緑出力Ｇ４２および青出力Ｂ４２はＳｃａｒｔコネクタ２８のピン１１と７に直接接続することができる。この解決手段はクロストークの問題を引き起こし得るが、より安価になる。
【図面の簡単な説明】
【図１】
図１は、本発明のビデオ装置の第１実施例を示す。
【図２】
図２は、本発明のビデオ装置の第２実施例を示す。
【図３】
図３は、図２のビデオ発生器の有利な実施形態を示す。
【国際公開パンフレット】
2004508774.tif 000003
2004508774.tif 000004
2004508774.tif 000005
2004508774.tif 000006
2004508774.tif 000007
2004508774.tif 000008
2004508774.tif 000009
2004508774.tif 000010
2004508774.tif 000011
2004508774.tif 000012
2004508774.tif 000013
2004508774.tif 000014
2004508774.tif 000015
2004508774.tif 000016
2004508774.tif 000017
2004508774.tif 000018
2004508774.tif 000019
2004508774.tif 000020
【国際調査報告】
2004508774.tif 000021
2004508774.tif 000022
2004508774.tif 000023